(57)【要約】      【課題】延伸装置において、手動介入後の自動運転復帰で、各セクションの速度到達時刻がバラツキ、製品の延伸率にバラツキがでるため、製品むらが大きくなっていた。      【解決手段】延伸装置において、複数の延伸ロールは各々が増減速機を介して電動機によって駆動され、前記各電動機は駆動電流を検出する電流検出器と回転速度を検出する回転速度検出器を備え、前記電流検出器および前記回転速度検出器の検出信号はそれぞれ前記各電動機の駆動制御を行う駆動制御器に入力され、前記駆動制御器には延伸制御器から各延伸ロールの回転速度制御信号が入力されており、前記駆動制御器は前記回転速度制御信号に基づいて電動機の回転制御を行い、手動介入後の自動運転復帰時には、各延伸ロールの回転速度および加減速度は再計算され、設定速度到達時間の最も遅いものの設定速度到達時刻に、各延伸ロールが同時に設定速度に達するように設定されていることを特徴とする。      【選択図】図１
2012115011.tif 000002
【特許請求の範囲】
【請求項１】
制御装置と複数の電動機をそれぞれ駆動する駆動装置で構成された延伸装置において、
複数の延伸ロールは各々が加減速機を介して電動機によって駆動され、
前記各電動機は駆動電流を検出する電流検出器と回転速度を検出する回転速度検出機を備え、
前記電流検出器および前記回転速度検出機の検出信号はそれぞれ前記各電動機の駆動制御を行う駆動制御器に入力され、
前記駆動制御器には延伸制御器から各延伸ロールの回転速度制御信号が入力されており、
前記駆動制御器は前記回転速度制御信号に基づいて電動機の回転制御を行い、
手動介入後の自動運転復帰時には、各延伸ロールの回転速度および加減速度は再計算され、設定速度到達時間の最も遅いものの設定速度到達時刻に、各延伸ロールが同時に設定速度に達するように設定されていることを特徴とする延伸装置の制御方法。
【発明の詳細な説明】
【技術分野】
【０００１】
本発明は、フィルムや合成繊維や針金など延伸製品の制御に関するものである。
【背景技術】
【０００２】
延伸製品は、成形に必要なデータ（延伸率、加速度、減速度などを）テーブルに保存し、生産時このテーブルからデータを呼び出して生産を行う。
生産中に不具合があった場合などは、自動運転を中断する手動介入が可能である。
【０００３】
しかし、手動介入後、自動運転に復帰させた場合、従来の制御では人が介入した幾つかのセクションでは、自動運転時の目標到達時間にバラツキが出ると言った欠点があった。
【０００４】
この時間のバラツキは、セクション間の延伸率の違いとなって現れ製品の品質の大きなバラツキにつながり、当該事態には、製品むらが大きく検出され、加減速中は十分な製造品質を備えた製品とならないことが散見されていた。
【先行技術文献】
【特許文献】
【０００５】
【特許文献１】特開平９−１５４２９０号公報
【発明の概要】
【発明が解決しようとする課題】
【０００６】
解決しようとする問題点は、手動介入後の自動運転復帰で各セクションの速度到達時間のバラツキが製品のバラツキとなって現れる点である。
【課題を解決するための手段】
【０００７】
請求項１の発明によれば、制御装置と複数の電動機をそれぞれ駆動する駆動装置で構成された延伸装置において、複数の延伸ロールは各々が加減速機を介して電動機によって駆動され、前記各電動機は駆動電流を検出する電流検出器と回転速度を検出する回転速度検出機を備え、前記電流検出器および前記回転速度検出機の検出信号はそれぞれ前記各電動機の駆動制御を行う駆動制御器に入力され、前記駆動制御器には延伸制御器から各延伸ロールの回転速度制御信号が入力されており、前記駆動制御器は前記回転速度制御信号に基づいて電動機の回転制御を行い、手動介入後の自動運転復帰時には、各延伸ロールの回転速度および加減速度は再計算され、設定速度到達時間の最も遅いものの設定速度到達時刻に、各延伸ロールが同時に設定速度に達するように設定されていることを特徴とする延伸装置の制御方法。
【０００８】
上記課題の改善策として、本発明は、手動介入後、自動運転復帰時に加減速度をセクション中で最も到達時間の遅いものに合わせ、全てのセクションの到達時間を一致させることを特徴とする。
【発明の効果】
【０００９】
本発明を利用することにより、延伸装置において、製品のバラツキを抑制し、場合によっては加減速中でも製品取りが可能となり、歩留まりの向上、生産性の向上を図ることができる。
【図面の簡単な説明】
【００１０】
【図１】本発明の制御方法
【図２】従来の制御方法
【発明を実施するための形態】
【００１１】
以下、本発明の実施の形態について、説明する。
【実施例１】
【００１２】
従来の制御方法（図１）では、セクション間で到達時間に差があったところ、本発明（図２）では、自動運転復帰時に加減速度を再計算し、到達時間の最も遅いセクションに他のセクションを合わせることにより、セクション間の到達時差の問題を解消した。
【００１３】
例として、３セクションの延伸装置で加速側のみを考える。
手動介入後の各セクションの値が下記とした場合
セクション１の現在速度    v1
セクション１の目標速度    V1
セクション１の加速度      a1
セクション１の目標到達時刻t1
セクション２の現在速度    v2
セクション２の目標速度    V2
セクション２の加速度      a2
セクション２の目標到達時刻t2
セクション３の現在速度    v3
セクション２の目標速度    V3
セクション３の加速度      a3
セクション３の目標到達時刻t3
とすると、
V1＝v1＋a1×t1      （式１）
V2＝v2＋a2×t2      （式２）
V3＝v3＋a3×t3      （式３）
ここで、t1〜t3までで最も長い時刻をtとすると、
V1＝v1＋a1’ ×t      （式４）
V2＝v2＋a2’ ×t      （式５）
V3＝v3＋a3’ ×t      （式６）
が成立するa1’〜a3’を求める事で、各セクションの予定速度到達時間を一致させる事ができる。
【産業上の利用可能性】
【００１４】
フィルム、合成繊維、針金などの延伸製品の製造設備の制御に有効である。
【図１】
2012115011.tif 000003
【図２】
2012115011.tif 000004
【手続補正書】
【提出日】平成22年11月29日(2010.11.29)
【手続補正１】
【補正対象書類名】特許請求の範囲
【補正対象項目名】請求項１
【補正方法】変更
【補正の内容】
【請求項１】
制御装置と複数の電動機をそれぞれ駆動する駆動装置で構成された延伸装置において、
複数の延伸ロールは各々が増減速機を介して電動機によって駆動され、
前記各電動機は駆動電流を検出する電流検出器と回転速度を検出する回転速度検出器を備え、
前記電流検出器および前記回転速度検出器の検出信号はそれぞれ前記各電動機の駆動制御を行う駆動制御器に入力され、
前記駆動制御器には延伸制御器から各延伸ロールの回転速度制御信号が入力されており、
前記駆動制御器は前記回転速度制御信号に基づいて電動機の回転制御を行い、
手動介入後の自動運転復帰時には、各延伸ロールの回転速度および加減速度は再計算され、設定速度到達時間の最も遅いものの設定速度到達時刻に、各延伸ロールが同時に設定速度に達するように設定されていることを特徴とする延伸装置の制御方法。
【手続補正２】
【補正対象書類名】明細書
【補正対象項目名】０００７
【補正方法】変更
【補正の内容】
【０００７】
請求項１の発明によれば、制御装置と複数の電動機をそれぞれ駆動する駆動装置で構成された延伸装置において、複数の延伸ロールは各々が増減速機を介して電動機によって駆動され、前記各電動機は駆動電流を検出する電流検出器と回転速度を検出する回転速度検出器を備え、前記電流検出器および前記回転速度検出器の検出信号はそれぞれ前記各電動機の駆動制御を行う駆動制御器に入力され、前記駆動制御器には延伸制御器から各延伸ロールの回転速度制御信号が入力されており、前記駆動制御器は前記回転速度制御信号に基づいて電動機の回転制御を行い、手動介入後の自動運転復帰時には、各延伸ロールの回転速度および加減速度は再計算され、設定速度到達時間の最も遅いものの設定速度到達時刻に、各延伸ロールが同時に設定速度に達するように設定されていることを特徴とする延伸装置の制御方法。